(57)【要約】【課題】別部品の取り付け、取り外しが不要で使い勝手の良い手持ち式電気掃除機を提供する。【解決手段】吸引風を発生させる電動送風機２を内蔵する電動送風機室３に連通し塵埃を吸引する吸気口５と塵埃を捕集する集塵部６を有した掃除機本体１と、一端が吸気口５に固定され他端に筒体９を有した伸縮自在のホース８と、ホース８を短く圧縮した状態に保持する保持体１１を備えたもので、ホース８が圧縮されて固定されている状態では本来手持ち式電気掃除機が得意とする部分的な掃除に加えて、従来は延長管（図示せず）等の別部品を接続し隙間などを掃除していたが、ホース８部分を隙間に挿入し掃除を行うことができ、また保持体１１をホース８から外すだけで、通常のホース８として棚などの上部や広い範囲の掃除ができるので、使い勝手を向上させることができる。【選択図】図１
2017131332.tif 000002
【特許請求の範囲】
【請求項１】
吸引風を発生させる電動送風機を内蔵する電動送風機室と前記電動送風機室に連通し塵埃を吸引する吸気口と塵埃を捕集する集塵部を有した掃除機本体と、一端が前記吸気口に固定され他端に筒体を有した伸縮自在のホースと、前記ホースを短く圧縮した状態で固定する保持体を備えた手持ち式電気掃除機。
【請求項２】
保持体を掃除機本体に回動自在に取り付けた請求項１に記載の手持ち式電気掃除機。
【発明の詳細な説明】
【技術分野】
【０００１】
本発明は手持ち式電気掃除機に関するものである。
【背景技術】
【０００２】
従来、この種の手持ち式電気掃除機は、部分的な掃除、例えば、床面の汚れの気になる部分の掃除や机の上など細かい部分的な掃除用に使われてきたが、近年、広い範囲を掃除するため、手持ち式電気掃除機に延長管、床用ノズルなどを接続して構成されたものがある（例えば、特許文献１参照）。
【０００３】
図４は、上記特許文献１に記載された従来の手持ち式電気掃除機の外観図である。図４に示すように従来の手持ち式電気掃除機１００は、掃除機本体１０１の塵埃を吸引するための吸込口１０２の先端に延長管１０３、床用ノズル１０４などの別部品を接続し構成されている。
【先行技術文献】
【特許文献】
【０００４】
【特許文献１】特開２０１４−２００４０６号公報
【発明の概要】
【発明が解決しようとする課題】
【０００５】
しかしながら、前記従来の手持ち式電気掃除機の構成では、延長管１０３などを接続し広い範囲の掃除が行うことは可能となったが、従来の手持ち式電気掃除機が得意とする細かい部分の掃除を行うためには延長管１０３等の接続された別部品を取り外す必要があり、また取り外した別部品を使用しない場合には収納する必要があり、使用性が非常に悪いという課題を有していた。
【０００６】
本発明は、前記従来の課題を解決するもので、手持ち式電気掃除機が得意とする細かい部分の掃除と机や特に高い場所など広い範囲を掃除する際に別部品をその都度取り付けることなく掃除が可能となる使用性を向上させた手持ち式電気掃除機を提供することを目的とする。
【課題を解決するための手段】
【０００７】
前記従来の課題を解決するために、本発明の手持ち式電気掃除機は、吸引風を発生させる電動送風機を内蔵する電動送風機室と前記電動送風機室に連通し塵埃を吸引する吸気口と塵埃を捕集する集塵部を有した掃除機本体と、一端が前記吸気口に固定され他端に筒体を有した伸縮自在のホースと、前記ホースを短く圧縮した状態で固定する保持体を備えたもので、ホースが圧縮されて固定されている状態では本来、手持ち式電気掃除機が得意とする部分的な掃除に加えて、従来は延長管を接続し隙間などを掃除していたが、ホース部分を隙間に挿入し掃除を行うことが可能になり、また、保持体をホースから外すだけで、通常のホースとして使用することが可能となり棚などの上部や広い範囲の掃除が可能となる。このように、掃除場所によって、別部品の取り付け、取り外しを行うことなく掃除が可能となり使い勝手を向上させることができる。
【発明の効果】
【０００８】
本発明の手持ち式電気掃除機は、細かい部分の掃除と机や特に高い場所など広い範囲を掃除する際に別部品を取り付けることなく掃除が可能となり使用性を向上させることができる。
【図面の簡単な説明】
【０００９】
【図１】本発明の実施の形態１における手持ち式電気掃除機の断面図
【図２】同手持ち式電気掃除機における筒体の係止部と保持体の保持部が係合した状態を示す図１のＡ部断面拡大図
【図３】同手持ち式電気掃除機における筒体の係止部と保持体の保持部が外れた状態を示す図１のＡ部断面拡大図
【図４】従来の手持ち式電気掃除機の外観図
【発明を実施するための形態】
【００１０】
第１の発明は、吸引風を発生させる電動送風機を内蔵する電動送風機室と前記電動送風機室に連通し塵埃を吸引する吸気口と塵埃を捕集する集塵部を有した掃除機本体と、一端が前記吸気口に固定され他端に筒体を有した伸縮自在のホースと、前記ホースを短く圧縮した状態で固定する保持体を備えたもので、ホースが圧縮されて固定されている状態では本来、手持ち式電気掃除機が得意とする部分的な掃除に加えて、従来は延長管を接続し隙間などを掃除していたが、ホース部分を隙間に挿入し掃除を行うことが可能になり、また、保持体をホースから外すだけで、通常のホースとして使用することが可能となり棚などの上部や広い範囲の掃除が可能となる。このように、掃除場所によって、別部品の取り付け、取り外しを行うことなく掃除が可能となり使い勝手を向上させることができる。
【００１１】
また、第２の発明は、特に、第１の発明の保持体を掃除機本体に回動自在に取り付けたもので、保持体を回動させてホースを固定状態から解除しホースを使用する際にも、保持体が本体から離脱することはなく、より使い勝手を向上できるものである。
【００１２】
以下、本発明の実施の形態について、図面を参照しながら説明する。なお、この実施の形態によって本発明が限定されるものではない。
【００１３】
（実施の形態１）
図１は、本発明の実施の形態１における手持ち式電気掃除機の断面図、図２は、同手持ち式電気掃除機の図１におけるＡ部断面拡大図（筒体の係止部と保持体の保持部が係合した状態）、図３は、同手持ち式電気掃除機の図１におけるＡ部断面拡大図（筒体の係止部と保持体の保持部が外れた状態）である。
【００１４】
図１において、本実施の形態における手持ち式電気掃除機２０の掃除機本体１は、吸引風を発生させる電動送風機２を内蔵した電動送風機室３と、電動送風機室３の前方に位置し電動送風機室３と連通する連通口４と、塵埃を吸引する吸気口５を有し塵埃を捕集する集塵部６と、掃除機本体１を操作するためのハンドル７を備えている。
【００１５】
また、本実施の形態における手持ち式電気掃除機２０は、一端が吸気口５に固定され、他端に筒体９が固定された伸縮自在のホース８を備え、ホース８は、掃除機本体１の回動軸１０に回動自在に取り付けられた保持体１１の保持部１２と筒体９の係止部１３が着脱可能な状態で固定され、短く圧縮されて掃除機本体１に固定し構成されている。
【００１６】
以上のように構成された本実施の形態における手持ち式電気掃除機の動作、作用を以下に説明する。
【００１７】
先ず、図１、２に示すように、電動送風機２で引き起こされる吸引風と吸引された塵埃は、ホース８の先端に固定された筒体９よりホース８を通過し、集塵部６により塵埃は捕集され、吸引風のみが電動送風機室３から掃除機本体１外に放出されるものである。図１では、保持体１１の保持部１２によりホース８は短く圧縮された状態で固定されている。
そのためホース８は硬質の筒状の状態となっている。次に、図３に示すように、保持体１１の保持部１２を筒体９の係止部１３から外すとホース８の圧縮状態が解除され通常の軟質体のホースとなるものである。
【００１８】
手持ち式電気掃除機２０の使用は、掃除機本体１のハンドル７を持って操作を行うもので、図１に示すようにホース８が固定された状態では、手持ち式電気掃除機が得意とする床面の部分的な掃除に加え、延長管などの別部品を取り付けることなく、ホース８の筒体９を隙間に挿入し隙間掃除などが行える。
【００１９】
また、図３に示すように、保持体１１の保持部１２を筒体９の係止部１３から外してホース８の固定を解除することで、掃除機本体１を持った手を動かすことなくホース８の筒体９を持った手を動かす軽い操作で広い範囲が掃除できるとともに、棚の上などの掃除が可能となる。
【００２０】
このように、本実施の形態における手持ち式電気掃除機によれば、掃除場所によって別部品の取り付け、取り外しを行うことなく掃除が可能となり使い勝手を向上させることができる。
【００２１】
また本実施の形態では、手持ち式電気掃除機としたが、この手持ち式電気掃除機２０を縦型の電気掃除機や床移動式の電気掃除機の掃除機本体に着脱可能に構成した場合にも同様の効果が得られるものである。
【産業上の利用可能性】
【００２２】
以上のように、本発明にかかる手持ち式電気掃除機は、細かい部分の掃除と机や特に高い場所など広い範囲を掃除する際に別部品を取り付けることなく掃除が可能となり使用性を向上させることができるもので、手持ち式電気掃除機を用いる家庭用電気掃除機及び産業用電気掃除機の分野・用途にも好適に運用することができる。
【符号の説明】
【００２３】
１  掃除機本体
２  電動送風機
３  電動送風機室
５  吸気口
６  集塵部
７  ハンドル
８  ホース
９  筒体
１０  回動軸
１１  保持体
１２  保持部
１３  係止部
２０  手持ち式電気掃除機
【図１】
2017131332.tif 000003
【図２】
2017131332.tif 000004
【図３】
2017131332.tif 000005
【図４】
2017131332.tif 000006